(57)【特許請求の範囲】
【請求項１】
目的地までの経路探索を行い、探索結果に応じて誘導経路を案内するナビゲーション処理を実行する情報処理装置において、
前記ナビゲーション処理中に、ユーザとの対話時におけるユーザの応答に基づいて、音声広告又は音声広告に係るアンケートを、音声出力手段により音声出力させる出力制御手段と、
音声入力手段を介して取得された前記音声広告に対するユーザの応答があった場合に、当該応答に基づいて、前記音声広告の効果を測定する効果測定手段と、
を備えることを特徴とする情報処理装置。
【請求項２】
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信することを特徴とする請求項１に記載の情報処理装置。
【請求項３】
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする請求項２に記載の情報処理装置。
【請求項４】
目的地までの経路探索を行い、探索結果に応じて誘導経路を案内するナビゲーション処理を実行する情報処理装置において、
前記ナビゲーション処理中に、ユーザとの対話時におけるユーザの応答に基づいて、音声広告又は音声広告に係るアンケートを、音声出力手段により音声出力させる出力制御手段を備え、
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする情報処理装置。
【請求項５】
音声入力手段を介して取得された前記音声広告に対するユーザの応答に基づいて、前記音声広告の効果を測定する効果測定手段を備えることを特徴とする請求項４に記載の情報処理装置。
【請求項６】
前記効果測定手段は、前記音声広告に対するユーザの応答の発話上の特徴に基づいて、当該音声広告に対するユーザの評価を取得して、当該音声広告の効果を測定することを特徴とする請求項１〜３、５のいずれか一項に記載の情報処理装置。
【請求項７】
前記対話用情報は、前記ユーザの応答を音声認識するための照合用パターンデータを含むことを特徴とする請求項２〜５、請求項２、３、５のいずれか一項を引用する請求項６のいずれか一項に記載の情報処理装置。
【請求項８】
前記発話は、前記アンケートを含み、
前記ユーザの応答は、前記アンケートへの回答を含み、
前記処理は、特典情報の出力処理を含むことを特徴とする請求項２〜５、７、請求項２、３、５のいずれか一項を引用する請求項６のいずれか一項に記載の情報処理装置。
【請求項９】
前記発話は、前記音声広告を含み、
前記ユーザの応答は、前記音声広告の効果を示す情報を含み、
前記処理は、前記音声広告の効果を示す情報を前記情報処理装置に送信させる処理を含むことを特徴とする請求項２〜５、７、８、請求項２、３、５のいずれか一項を引用する請求項６のいずれか一項に記載の情報処理装置。
【請求項１０】
前記ユーザの応答は、前記音声広告に基づく行動を示す情報を含み、
前記処理は、前記行動を示す情報を前記情報処理装置に送信させる処理を含むことを特徴とする請求項９に記載の情報処理装置。
【請求項１１】
前記出力制御手段は、前記音声広告に係る地点と所定の位置関係にある場合に、当該音声広告を前記音声出力手段により音声出力させることを特徴とする請求項１〜１０のいずれか一項に記載の情報処理装置。
【請求項１２】
前記出力制御手段は、前記音声広告を音声出力させるための条件を前記ユーザに確認するための質問を前記音声出力手段により音声出力させ、音声入力手段を介して取得された前記質問に対するユーザの応答に基づいて、前記音声広告の音声出力を制御することを特徴とする請求項１〜１１のいずれか一項に記載の情報処理装置。
【請求項１３】
前記条件は、前記ユーザが乗車中の車両の走行状況に関する条件を含むことを特徴とする請求項１２に記載の情報処理装置。
【請求項１４】
目的地までの経路探索を行い、探索結果に応じて誘導経路を案内するナビゲーション処理を実行する情報処理装置の情報処理方法において、
前記ナビゲーション処理中に、ユーザとの対話時におけるユーザの応答に基づいて、音声広告又は音声広告に係るアンケートを、音声出力手段により音声出力させる出力制御ステップと、
音声入力手段を介して取得された前記音声広告に対するユーザの応答があった場合に、当該応答に基づいて、前記音声広告の効果を測定する効果測定ステップと、
を含む情報処理方法。
【請求項１５】
目的地までの経路探索を行い、探索結果に応じて誘導経路を案内するナビゲーション処理を実行する情報処理装置の情報処理方法において、
前記ナビゲーション処理中に、ユーザとの対話時におけるユーザの応答に基づいて、音声広告又は音声広告に係るアンケートを、音声出力手段により音声出力させる出力制御ステップを含み、
前記出力制御ステップは、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする情報処理方法。
【請求項１６】
目的地までの経路探索を行い、探索結果に応じて誘導経路を案内するナビゲーション処理を実行する情報処理装置のコンピュータを、
前記ナビゲーション処理中に、ユーザとの対話時におけるユーザの応答に基づいて、音声広告又は音声広告に係るアンケートを、音声出力手段により音声出力させる出力制御手段、
音声入力手段を介して取得された前記音声広告に対するユーザの応答があった場合に、当該応答に基づいて、前記音声広告の効果を測定する効果測定手段、
として機能させるためのプログラム。
【請求項１７】
目的地までの経路探索を行い、探索結果に応じて誘導経路を案内するナビゲーション処理を実行する情報処理装置のコンピュータを、
前記ナビゲーション処理中に、ユーザとの対話時におけるユーザの応答に基づいて、音声広告又は音声広告に係るアンケートを、音声出力手段により音声出力させる出力制御手段、
として機能させ、
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とするプログラム。
【発明の詳細な説明】
【技術分野】
【０００１】
本発明は、情報処理装置、情報処理方法及びプログラムに関する。
【背景技術】
【０００２】
従来、目的地までの経路探索を行い、探索結果に応じて誘導経路を案内するナビゲーション機能を、車両に搭載された端末装置と協働して実現する情報処理装置が提案されている。上記の情報処理装置は、ユーザにより端末装置上で出発地及び目的地が設定された場合に、その出発地から目的地に至る最適経路を、地図データを用いて探索し、現在地マークとともにその最適経路を端末装置の表示部に表示させる。
【０００３】
ところで、上記の端末装置の表示部に、広告を表示させる技術が知られている。
例えば、ナビゲーション機能を利用開始するための条件として、ユーザによりユーザ情報を入力させ、当該ユーザ情報に基づいた広告を表示させる技術が開示されている（例えば、特許文献１参照）。
【先行技術文献】
【特許文献】
【０００４】
【特許文献１】特開２０１１−１９６９３６号公報
【発明の概要】
【発明が解決しようとする課題】
【０００５】
しかしながら、上記特許文献１記載の技術は、目的地設定前の停車中が対象であるため、広告を表示させる機会が極めて制限されるという問題があった。
また、上記特許文献１記載の技術は、端末装置の表示部に広告を表示させる技術であるため、車両の走行中に表示させた場合、ドライバがゆっくり視認することができず、広告効果を見込めないという問題があった。
【０００６】
本発明は、運転に影響することなく安全、円滑に広告の効果を確保することが可能な情報処理装置、情報処理方法及びプログラムを提供することを目的とする。
【課題を解決するための手段】
【０００７】
請求項１に記載の発明は、上記目的を達成するためになされたものであり、
目的地までの経路探索を行い、探索結果に応じて誘導経路を案内するナビゲーション処理を実行する情報処理装置において、
前記ナビゲーション処理中に、ユーザとの対話時におけるユーザの応答に基づいて、音声広告又は音声広告に係るアンケートを、音声出力手段により音声出力させる出力制御手段と、
音声入力手段を介して取得された前記音声広告に対するユーザの応答があった場合に、当該応答に基づいて、前記音声広告の効果を測定する効果測定手段と、
を備えることを特徴とする。
請求項２に記載の発明は、請求項１に記載の情報処理装置において、
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信することを特徴とする。
請求項３に記載の発明は、請求項２に記載の情報処理装置において、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする。
請求項４に記載の発明は、上記目的を達成するためになされたものであり、
目的地までの経路探索を行い、探索結果に応じて誘導経路を案内するナビゲーション処理を実行する情報処理装置において、
前記ナビゲーション処理中に、ユーザとの対話時におけるユーザの応答に基づいて、音声広告又は音声広告に係るアンケートを、音声出力手段により音声出力させる出力制御手段を備え、
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする。
請求項５に記載の発明は、請求項４に記載の情報処理装置において、
音声入力手段を介して取得された前記音声広告に対するユーザの応答に基づいて、前記音声広告の効果を測定する効果測定手段を備えることを特徴とする。
【００１２】
請求項６に記載の発明は、請求項１〜３、５のいずれか一項に記載の情報処理装置において、
前記効果測定手段は、前記音声広告に対するユーザの応答の発話上の特徴に基づいて、当該音声広告に対するユーザの評価を取得して、当該音声広告の効果を測定することを特徴とする。
【００１４】
請求項７に記載の発明は、請求項２〜５、請求項２、３、５のいずれか一項を引用する請求項６のいずれか一項に記載の情報処理装置において、
前記対話用情報は、前記ユーザの応答を音声認識するための照合用パターンデータを含むことを特徴とする。
【００１５】
請求項８に記載の発明は、請求項２〜５、７、請求項２、３、５のいずれか一項を引用する請求項６のいずれか一項に記載の情報処理装置において、
前記発話は、前記アンケートを含み、
前記ユーザの応答は、前記アンケートへの回答を含み、
前記処理は、特典情報の出力処理を含むことを特徴とする。
【００１６】
請求項９に記載の発明は、請求項２〜５、７、８、請求項２、３、５のいずれか一項を引用する請求項６のいずれか一項に記載の情報処理装置において、
前記発話は、前記音声広告を含み、
前記ユーザの応答は、前記音声広告の効果を示す情報を含み、
前記処理は、前記音声広告の効果を示す情報を前記情報処理装置に送信させる処理を含むことを特徴とする。
【００１７】
請求項１０に記載の発明は、請求項９に記載の情報処理装置において、
前記ユーザの応答は、前記音声広告に基づく行動を示す情報を含み、
前記処理は、前記行動を示す情報を前記情報処理装置に送信させる処理を含むことを特徴とする。
請求項１１に記載の発明は、請求項１〜１０のいずれか一項に記載の情報処理装置において、
前記出力制御手段は、前記音声広告に係る地点と所定の位置関係にある場合に、当該音声広告を前記音声出力手段により音声出力させることを特徴とする。
請求項１２に記載の発明は、請求項１〜１１のいずれか一項に記載の情報処理装置において、
前記出力制御手段は、前記音声広告を音声出力させるための条件を前記ユーザに確認するための質問を前記音声出力手段により音声出力させ、音声入力手段を介して取得された前記質問に対するユーザの応答に基づいて、前記音声広告の音声出力を制御することを特徴とする。
請求項１３に記載の発明は、請求項１２に記載の情報処理装置において、
前記条件は、前記ユーザが乗車中の車両の走行状況に関する条件を含むことを特徴とする。
【００１９】
請求項１４に記載の発明は、
目的地までの経路探索を行い、探索結果に応じて誘導経路を案内するナビゲーション処理を実行する情報処理装置の情報処理方法において、
前記ナビゲーション処理中に、ユーザとの対話時におけるユーザの応答に基づいて、音声広告又は音声広告に係るアンケートを、音声出力手段により音声出力させる出力制御ステップと、
音声入力手段を介して取得された前記音声広告に対するユーザの応答があった場合に、当該応答に基づいて、前記音声広告の効果を測定する効果測定ステップと、
を含む。
請求項１５に記載の発明は、
目的地までの経路探索を行い、探索結果に応じて誘導経路を案内するナビゲーション処理を実行する情報処理装置の情報処理方法において、
前記ナビゲーション処理中に、ユーザとの対話時におけるユーザの応答に基づいて、音声広告又は音声広告に係るアンケートを、音声出力手段により音声出力させる出力制御ステップを含み、
前記出力制御ステップは、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とする。
【００２０】
請求項１６に記載の発明は、
目的地までの経路探索を行い、探索結果に応じて誘導経路を案内するナビゲーション処理を実行する情報処理装置のコンピュータを、
前記ナビゲーション処理中に、ユーザとの対話時におけるユーザの応答に基づいて、音声広告又は音声広告に係るアンケートを、音声出力手段により音声出力させる出力制御手段、
音声入力手段を介して取得された前記音声広告に対するユーザの応答があった場合に、当該応答に基づいて、前記音声広告の効果を測定する効果測定手段、
として機能させるためのプログラムである。
請求項１７に記載の発明は、
目的地までの経路探索を行い、探索結果に応じて誘導経路を案内するナビゲーション処理を実行する情報処理装置のコンピュータを、
前記ナビゲーション処理中に、ユーザとの対話時におけるユーザの応答に基づいて、音声広告又は音声広告に係るアンケートを、音声出力手段により音声出力させる出力制御手段、
として機能させ、
前記出力制御手段は、前記ユーザの応答を前提とする発話を行うための発話情報と、音声入力手段を介して取得された前記ユーザの応答に基づく処理を実行させるための処理情報と、を対応付けた対話用情報を、前記ユーザが乗車中の車両に搭載された端末装置に配信し、
前記発話は、前記音声広告に係る質問を含み、
前記ユーザの応答は、前記質問への回答又は無回答を含み、
前記処理は、前記質問への回答又は無回答に基づいて、一の前記音声広告若しくは二以上の前記音声広告のいずれか一を出力する又は前記音声広告を出力しないことを決定する処理を含むことを特徴とするプログラムである。
【発明の効果】
【００２１】
本発明によれば、運転に影響することなく安全、円滑に広告の効果を確保することができる。
【図面の簡単な説明】
【００２２】
【図１】本実施形態に係る情報処理システムを構成する各装置の主制御構成を示すブロック図である。
【図２】本実施形態に係る情報処理システムにおける音声広告又は音声広告に係るアンケートを音声出力させる処理の一例を示すフローチャートである。
【図３】図２の処理における対話の一例を示す図である。
【図４】本実施形態に係る情報処理システムにおける走行状況に基づいてユーザとの対話時における発話上の特徴を制御する処理の一例を示すフローチャートである。
【図５】本実施形態に係る情報処理システムにおける音声出力させた広告を、所定条件を満たす場合に再出力させる処理の一例を示すフローチャートである。
【図６】図５の処理における対話の一例を示す図である。
【図７】広告に係る地点を経由地として設定する画面の一例を示す図である。
【図８】広告を優劣順に表示させた画面の一例を示す図である。
【発明を実施するための形態】
【００２３】
以下、本発明の実施の形態について、図面を参照して詳細に説明する。
【００２４】
［１．構成の説明］
以下、図面を参照しながら、この発明の一実施形態について詳しく説明する。
［１−１．システム構成の説明］
まず、本実施形態に係る情報処理システム１の構成について説明する。
情報処理システム１は、図１に示すように、情報処理装置としてのナビゲーションサーバ（以下ナビサーバと称する）１０及び広告配信サーバ２０と、車両Ｃに搭載された端末装置３０と、を備えて構成されている。情報処理システム１を構成する各装置は、通信ネットワークＮに接続される。通信ネットワークＮは、具体的には、インターネットや電気通信事業者等の電話回線網や携帯電話通信網等である。
【００２５】
ナビサーバ１０は、例えば、ＰＣ、ＷＳ（Work Station）等の情報機器であり、端末装置３０から通信ネットワークＮを介して送信されてきたプローブ情報が集積されるようになっている。ナビサーバ１０は、１台で構成されるものとするが、これに限定されるものではなく、複数台の装置から構成されるものとしてもよい。
【００２６】
広告配信サーバ２０は、例えば、ＰＣ、ＷＳ（Work Station）等の情報機器であり、端末装置３０に対し、通信ネットワークＮを介して音声広告等の広告に係るコンテンツやニュース等のその他のコンテンツを配信する。広告配信サーバ２０は、１台で構成されるものとするが、これに限定されるものではなく、複数台の装置から構成されるものとしてもよい。
【００２７】
端末装置３０は、スマートフォンやタブレットなどのスマートデバイス、携帯電話機等の各ユーザが所持して使用する携帯型端末機器である。端末装置３０には、目的地までの経路探索を行い、探索結果に応じて誘導経路を案内するカーナビの機能を実現するアプリケーション（以下、カーナビアプリと称する）がインストールされている。また、端末装置３０は、通信ネットワークＮ（具体的には、端末装置３０の通信回線や無線ＬＡＮ（Local Area Network）等）を用いて、ナビサーバ１０又は広告配信サーバ２０との間で相互に通信を行う。
【００２８】
［１−２．ナビサーバの構成の説明］
次に、ナビサーバ１０の構成について説明する。
ナビサーバ１０は、制御部１１と、操作部１２と、表示部１３と、記憶部１４と、通信部１５と、を備えて構成されている。
【００２９】
制御部１１は、ナビサーバ１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、ナビサーバ１０の各部を統括制御する。
【００３０】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
表示部１３は、例えば、ＬＣＤ（Liquid Crystal Display）などのディスプレイを備え、制御部１１から出力された表示制御信号に基づいた画像を表示画面に表示する。
【００３１】
記憶部１４は、例えば、ＨＤＤ（Hard Disk Drive）、半導体メモリなどにより構成され、プログラムデータや各種設定データ等のデータを制御部１１から読み書き可能に記憶する。
また、記憶部１４は、地図データ、音声データ等を格納している。地図データには、例えば、広域をカバーした地図情報（複数縮尺に対応）、道路情報、施設、海、川等の各種シンボル情報等が記憶されている。また、音声データには、例えば、経路案内に必要な、単語や文節等からなるメッセージのデータ等が予め記憶されている。
【００３２】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。例えば、通信部１５は、ドライバにより設定された目的地情報及び端末装置３０の現在位置検出部３７により検出された現在位置情報、並びに端末装置３０の制御部３１により生成されたプローブ情報等を受信する。また、通信部１５は、地図データ及び音声データとともに、経路探索結果等を、端末装置３０に送信する。また、通信部１５は、受信した目的地情報、現在位置情報及びプローブ情報等を、広告配信サーバ２０に送信する。
【００３３】
［１−３．広告配信サーバの構成の説明］
次に、広告配信サーバ２０の構成について説明する。
広告配信サーバ２０は、制御部２１と、操作部２２と、表示部２３と、記憶部２４と、通信部２５と、を備えて構成されている。
【００３４】
制御部２１は、広告配信サーバ２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、広告配信サーバ２０の各部を統括制御する。
例えば、制御部２１は、ナビサーバ１０から送信された目的地情報、現在位置情報及びプローブ情報、或いは端末装置３０から送信されたユーザの応答等に基づいて音声広告やニュース等のコンテンツを選択し、通信部２５を介して端末装置３０に送信する。
また、制御部２１は、端末装置３０から送信されたユーザの応答を音声認識する処理を行う。なお、音声認識処理については公知の音声認識技術を用いることとし、詳細な説明を省略する。
【００３５】
操作部２２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部２１へと出力する。
表示部２３は、例えば、ＬＣＤなどのディスプレイを備え、制御部２１から出力された表示制御信号に基づいた画像を表示画面に表示する。
【００３６】
記憶部２４は、例えば、ＨＤＤ、半導体メモリなどにより構成され、プログラムデータや各種設定データ等のデータを制御部２１から読み書き可能に記憶する。
また、記憶部２４は、端末装置３０に配信する音声広告やアンケート等の広告に係る各種コンテンツ、及びその他ニュース等のコンテンツを記憶する。また、記憶部２４は、端末装置３０に配信した広告に対するユーザの応答（操作を含む）を、その広告と関連付けて記憶する。
【００３７】
通信部２５は、通信用ＩＣ及び通信コネクタなどを有する通信インターフェイスであり、制御部２１の制御の下、所定の通信プロトコルを用いて通信ネットワークＮを介したデータ通信を行う。例えば、通信部２５は、常時、ナビサーバ１０から送信された目的地情報、現在位置情報及びプローブ情報等を受信する。また、通信部２５は、音声広告等の広告に係る各種コンテンツを、端末装置３０に送信する。また、通信部２５は、端末装置３０から送信されたユーザの応答を受信する。
なお、通信部２５は、ナビサーバ１０から送信された各種情報を、常時ではなく、適度な間隔毎に受信するようにしてもよい。
【００３８】
［１−４．端末装置の構成の説明］
次に、端末装置３０の構成について説明する。
端末装置３０は、制御部３１と、操作部３２と、表示部３３と、音声出力部３４と、音声入力部３５と、記憶部３６と、現在位置検出部３７と、通信部３８と、を備えて構成されている。
【００３９】
制御部３１は、端末装置３０の動作を中央制御する。具体的には、制御部３１は、ＣＰＵ、ＲＯＭ、ＲＡＭなどを備えて構成され、ＲＡＭの作業領域に展開されたＲＯＭや記憶部３６に記憶されたプログラムデータとＣＰＵとの協働により、端末装置３０の各部を統 括制御する。
また、制御部３１は、記憶部３６に記憶されたカーナビアプリを実行することにより、ナビサーバ１０と協働して、カーナビの機能を実現する。具体的には、制御部３１は、ドライバによりカーナビアプリが起動され目的地が設定されると、当該目的地情報及び現在位置検出部３７により検出された現在位置情報を、通信部３８を介してナビサーバ１０に送信する。次に、ナビサーバ１０の制御部１１は、端末装置３０から送信された目的地情報及び現在位置情報に基づいて経路探索処理を行い、経路探索結果を地図データ及び音声データとともに、通信部１５を介して端末装置３０に送信する。次に、端末装置３０の制御部３１は、経路探索結果を、表示部３３に表示させるとともに、音声出力部３４から音声出力させる。これにより、カーナビの機能が実現される。
また、制御部３１は、実際に車両Ｃが走行した位置や車速などの走行情報に基づいてプローブ情報を随時生成する。そして、制御部３１は、生成したプローブ情報を、通信部３８を介して随時ナビサーバ１０に送信する。
【００４０】
操作部３２は、例えば、ホームボタン等からなるキー入力部と、表示部３３と一体的に形成されたタッチパネルと、を備え、ドライバからの操作入力を受け付けて、操作入力に応じた操作信号を制御部３１へと出力する。
表示部（表示手段）３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。例えば、表示部３３は、制御部３１から出力された表示用データ（地図データ等）に基づいて、各種情報（例えば、地図画面やアイコン、経路案内等のナビゲーション用の表示情報、自車の現在位置を示す自車マーク等）を表示する。
【００４１】
音声出力部（音声出力手段）３４は、Ｄ／Ａ変換器、アンプ、スピーカ等を備えて構成され、制御部３１から出力された音声データをアナログの音声信号に変換して音声出力する。
【００４２】
音声入力部（音声入力手段）３５は、マイク、Ａ／Ｄ変換器等を備えて構成され、マイクを介して音声入力を受け付け、アナログの音声信号をデジタルデータに変換して音声データを取得する。音声入力部３５は、ユーザが発した音声が入力される。
【００４３】
記憶部３６は、例えば、ＨＤＤ、半導体メモリなどにより構成され、プログラムデータや各種設定データ等のデータを制御部３１から読み書き可能に記憶する。
【００４４】
現在位置検出部３７は、ＧＰＳモジュール、自律航法ユニット等を備えて構成されている。ＧＰＳモジュールは、ＧＰＳアンテナ等を備えて構成される。このＧＰＳアンテナは、地球低軌道に打ち上げられた複数のＧＰＳ衛星から送信されるＧＰＳ信号を受信する。ＧＰＳアンテナは、少なくとも３個のＧＰＳ衛星から送信されるＧＰＳ信号を受信し、受信したＧＰＳ信号に基づいて車両Ｃの絶対的な現在位置（緯度、経度）を検出して、制御部３１に出力する。
自律航法ユニットは、角度センサ、距離センサ等を備える。角度センサは、車の角速度（単位時間あたりの水平方向への回転角度）を検出して、移動方位の変化量を算出する。距離センサは、車輪の回転に応じて出力されるパルス信号を検出して、車両Ｃの移動量を算出する。自律航法ユニットは、これら角速度信号および車速パルス信号により、車両Ｃの相対的な位置変化を算出して制御部３１に出力する。
【００４５】
通信部３８は、アンテナや通信回路を備え、制御部３１による制御の下で外部機器との間の無線通信を行う。具体的には、通信部３８は、基地局で中継されることで、通信ネットワークＮを介してデータ通信を行う。例えば、通信部３８は、ドライバにより設定された目的地情報及び現在位置検出部３７により検出された現在位置情報、並びに制御部３１により生成されたプローブ情報等を送信する。また、通信部３８は、ナビサーバ１０の通信部１５から送信された経路探索結果、地図データ及び音声データ等を受信する。また、通信部３８は、広告配信サーバ２０から送信された音声広告等の広告に係る各種コンテンツを受信する。また、通信部３８は、音声出力部３４により音声出力させた音声広告や音声広告に係るアンケート等に対するユーザの応答を、広告配信サーバ２０に送信する。
【００４６】
［２．動作の説明］
次に、本実施形態に係る情報処理システム１の具体的な動作について、図２〜図８を参照して説明する。
まず、広告配信サーバ２０の制御部２１が、ユーザとの対話に基づいて、音声広告又は音声広告に係るアンケートを、端末装置３０の音声出力部３４により音声出力させる処理について、図２のフローチャート及び図３の対話例を参照して説明する。ここで、制御部２１は、本発明の出力制御手段として機能する。なお、本実施形態において、音声広告には、対象商品の値段を割引可能なクーポンが含まれるものとする。
【００４７】
まず、広告配信サーバ２０の制御部２１は、図２に示すように、ナビサーバ１０から送られてくるプローブ情報やユーザの走行ルートに係る設定情報（目的地や経由地の情報）を参照して、音声広告に係る地点と所定の位置関係にあるか否かを判定する（ステップＳ１０１）。
制御部２１は、所定の位置関係にあると判定した場合（ステップＳ１０１：ＹＥＳ）、ステップＳ１０２へと移行する。
一方、制御部２１は、所定の位置関係にあると判定した場合（ステップＳ１０１：ＮＯ）、所定の位置関係にあると判定するまで処理を繰り返す。
【００４８】
ここで、所定の位置関係の一つの例は、現在地、目的地及びその二点を結ぶ経路から所定の距離内であることである。即ち、制御部２１は、現在地、目的地及びその二点を結ぶ経路から所定の距離内に、音声広告に係る地点が存在する場合に、所定の位置関係にあると判定する。
また、所定の位置関係の他の例は、ユーザの普段の走行エリアから所定の距離内であることである。即ち、制御部２１は、ユーザの普段の走行エリアから所定の距離内に、音声広告に係る地点が存在する場合に、所定の位置関係にあると判定する。
また、所定の位置関係の他の例は、ユーザが普段よく通る場所（地点、道等）から所定の距離内であることである。即ち、制御部２１は、ユーザが普段よく通る場所から所定の距離内に、音声広告に係る地点が存在する場合に、所定の位置関係にあると判定する。
【００４９】
次に、広告配信サーバ２０の制御部２１は、音声広告を音声出力させるための条件をユーザに確認するための質問を、通信部２５を介して端末装置３０に送信する（ステップＳ１０２）。条件確認のための質問は、例えば、ユーザの属性情報を確認するための質問である。例えば、ユーザが喫煙者であるか否かを確認するための「タバコ吸いますか？（図３（Ｃ）及び図３（Ｄ）のＴ２１）」、ユーザの食の好みを判定するための「中華はお好きですか？」などの質問である。
【００５０】
また、条件確認のための質問の他の例は、車両走行に関する条件（走行状況）を確認するための質問である。車両走行に関する条件とは、例えば、曜日、時間帯、天候、渋滞の有無、路面状態等の「車外の環境」、速度、走行中の道路種別、ガソリンの残量、電気自動車の動力用充電池の残量等の「車両の状況」、「目的地及び経由地」、眠いか否か、空腹、疲労、薬物の影響等の「ユーザの体調」、同乗者の有無、人数、性別、年代、体重等の「同乗者の状況」などである。車両走行に関する条件を確認するための質問としては、例えば、ユーザの体調を確認する「眠いですか？（図３（Ａ）及び図３（Ｂ）のＴ１１）」、車外の環境を確認する「混んでいますか？」等が挙げられる。
【００５１】
端末装置３０の制御部３１は、広告配信サーバ２０から送信された質問を、音声出力部３４を介して音声出力させる（ステップＳ１０３）。
【００５２】
次に、端末装置３０の制御部３１は、音声入力部３５を介して、上記の質問に対するユーザの応答を取得し、通信部３８を介して広告配信サーバ２０に送信する（ステップＳ１０４）。ユーザの応答は、例えば、「うん、眠いよ（図３（Ａ）のＴ１２）」、「いや、眠くないよ（図３（Ｂ）のＴ１４）」、「吸うよ（図３（Ｃ）のＴ２２）」、「吸わないよ（図３（Ｄ）のＴ２４）」などの応答や、無回答などの応答である。
【００５３】
広告配信サーバ２０の制御部２１は、端末装置３０から送信されたユーザの応答に基づいて、音声出力を制御する（ステップＳ１０５）。例えば、制御部２１は、通信部３８を介して、端末装置３０に音声広告又は音声広告に係るアンケートを送信する。なお、制御部２１は、ユーザの応答を音声認識した結果、音声出力しないと判定した場合には、そのまま処理を終了する。
端末装置３０の制御部３１は、広告配信サーバ２０から送信された音声広告又は音声広告に係るアンケートを、音声出力部３４を介して音声出力する（ステップＳ１０６）。例えば、ユーザが眠気を訴えた場合（図３（Ａ）のＴ１２）には「ミント菓子○×好評発売中！（図３（Ａ）のＴ１３）」、ユーザが眠気を訴えなかった場合（図３（Ｂ）のＴ１４）には「よろしければアンケートにご協力ください（図３（Ｂ）のＴ１５）」、ユーザが喫煙者であった場合（図３（Ｃ）のＴ２２）には「タバコ△×本日発売開始しました！（図３（Ｃ）のＴ２３）」、ユーザが喫煙者でなかった場合（図３（Ｄ）のＴ２４）には「甘くて美味しいチョコレート○○△お一ついかがですか？（図３（Ｄ）のＴ２５）」などと音声出力する。
【００５４】
次に、端末装置３０の制御部３１は、音声入力部３５を介して、上記の音声出力（音声広告又はアンケート）に対するユーザの応答を取得し、通信部３８を介して広告配信サーバ２０に送信する（ステップＳ１０７）。ユーザの応答は、例えば、「音声広告の効果を示す情報」、「音声広告に基づく行動を示す情報」、アンケートに対する回答、その他無回答などである。音声広告の効果を示す情報とは、例えば、音声広告に続く「ご興味ありますか？」に対する「あるよ（肯定）」、「いらない（否定）」といった回答などである。音声広告に基づく行動を示す情報とは、例えば、店舗を目的地や経由地として登録する行動、停車時に商品ページを表示させるために一時的にブックマークする行動、カーナビアプリのユーザＩＤと同一のＩＤでＰＣサイトにログインしたときに商品ページを自動で表示させるために所定の登録を行う行動などを示す情報である。
【００５５】
次に、広告配信サーバ２０の制御部２１は、端末装置３０から送信されたユーザの応答に基づく処理を行う（ステップＳ１０８）。
例えば、制御部２１は、取得したユーザの応答がアンケートに対する回答であった場合、その応答に基づく処理として、特典（例えば、特典ポイント）を付与するための特典情報を、通信部２５を介して端末装置３０に送信する。
端末装置３０の制御部３１は、広告配信サーバから送信された情報を、音声出力部３４を介して音声出力する。例えば、「アンケートの回答を受け付けました。特典ポイントが付与されました。」などと音声出力する。
【００５６】
また、広告配信サーバ２０の制御部２１は、取得したユーザの応答が音声広告の効果を示す情報又は音声広告に基づく行動を示す情報であった場合、その応答に基づく処理として、これらの情報を解析し、音声広告の効果を測定する。即ち、制御部２１は、本発明の効果測定手段として機能する。例えば、音声広告の効果を示す情報であった場合は、回答内容（肯定、否定の程度）を解析して効果を測定する。また、音声広告に基づく行動を示す情報であった場合は、肯定的反応であると見做して効果を測定する。また、無回答であった場合は、否定的反応であると見做して効果を測定する。
【００５７】
なお、広告配信サーバ２０の制御部２１は、音声認識の際、ユーザの応答の発話上の特徴に基づいて、応答に先立って出力された音声広告に対するユーザの評価（肯定、否定の程度）を応答の要素として取得し、当該音声広告の効果に反映する。ここで、発話上の特徴とは、例えば、発話速度、発話開始までの待ち時間などである。
【００５８】
次に、ユーザが乗車中の車両Ｃの走行状況に基づいて、端末装置３０の音声出力部３４により出力される音声における発話上の特徴を制御する処理について、図４のフローチャートを参照して説明する。ここで、制御部２１は、本発明の発話制御手段として機能する。なお、この処理は、音声広告や音声広告に係るアンケートに限らず、端末装置３０が音声出力する全てのコンテンツ（ナビゲーション情報等も含む）をその対象としている。
【００５９】
まず、広告配信サーバ２０の制御部２１は、図４に示すように、ナビサーバ１０から送られてくるプローブ情報やユーザの走行ルートに係る設定情報（目的地や経由地の情報）を参照して、ユーザが乗車中の車両Ｃの走行状況を取得する（ステップＳ２０１）。そして、制御部２１は、取得した走行状況に基づいて、発話上の特徴を制御する。
【００６０】
ここで、走行状況の一つの例は、例えば、車外の環境である。車外の環境とは、例えば、曜日、時間帯、天候、渋滞の有無、路面状態等である。制御部２１は、例えば、休日にはカジュアルな口調（声や語り口）で発話したり、雨天時には明るい口調で発話したり、夜間には落ち着いた口調で発話したりする制御を行う。
【００６１】
また、走行状況の他の例は、車両の状況である。車両の状況とは、例えば、速度、走行中の道路種別、ガソリンの残量、電気自動車の動力用充電池の残量等である。制御部２１は、例えば、ゆっくり走行している際には落ち着いた口調で発話したり、海沿いの道路を走行中は快活な口調で発話したりする制御を行う。
また、例えば、車両の状況に応じて発話の「内容」を制御するようにしてもよい。例えば、高速道路を走行中には、車間距離への注意を喚起するような発話をしたり、ガソリンの残量が少なくなってきた場合には、次のサービスエリアへの立ち寄りを薦めるような発話をしたりするようにしてもよい。或いは、ガソリンの残量が少なくなってきた場合には、ガソリンに関するニュースや豆知識等を読み上げるようにしてもよい。
【００６２】
また、走行状況の他の例は、目的地、経由地である。制御部２１は、例えば、目的地がディズニーランドに設定されている場合に、ミッキーマウスの声で発話する制御を行う。
【００６３】
また、走行状況の他の例は、ユーザの体調である。ユーザの体調とは、例えば、眠いか否か、空腹、疲労、薬物の影響等である。制御部２１は、例えば、ユーザが眠い場合や疲れている場合には、発話速度をゆっくりにしたり、眠気を覚まさせるために対話量を増加させたりする制御を行う。或いは、ユーザが眠い場合には、単なる事実確認だけでなく、少し頭を使わせるような質問を含むアンケートを音声出力するようにしてもよい。
【００６４】
なお、ユーザの体調は、ユーザに直接質問する形式の他、応答の発話上の特徴から判断するようにしてもよい。発話上の特徴とは、例えば、発話速度、発話開始までの待ち時間等である。例えば、発話速度がゆっくりである場合や発話開始までの待ち時間が長い場合には、「眠い」、「疲れている」と判断する。この場合、判断時に、夜であるとか夕食後であるといった他の情報を加味するようにしてもよい。
【００６５】
また、走行状況の他の例は、同乗者の状況である。同乗者の状況とは、例えば、同乗者の有無、人数、性別、年代、体重等である。制御部２１は、例えば、同乗者の体重が非常に軽い場合には、同乗者が子供であると判断し、子供に人気のあるキャラクターの声で発話するなどの制御を行う。また、同乗者が子供である場合には、トイレ休憩を促す音声を出力するようにしてもよい。
【００６６】
なお、同乗者の状況は、ユーザに直接質問する形式の他、同乗者の音声の特徴から判断するようにしてもよい。同乗者の音声の特徴とは、例えば、同乗者の音声の周波数帯等である。端末装置３０の音声入力部３５を介して同乗者の音声を取得し、同乗者の音声の周波数帯を解析することで、同乗者の有無、人数、性別、年代等を判別することができる。
【００６７】
ここで、広告配信サーバ２０の制御部２１が、端末装置３０の音声出力部３４により出力される音声を、標準（初期設定）の音声とは別の音声に変更可能な制御を行うようにしてもよい。即ち、制御部２１は、本発明の音声変更手段として機能する。
また、制御部２１は、別の音声に変更されている場合であって、同乗者が検出された場合には、標準の音声に変更する制御を行うようにしてもよい。
【００６８】
次に、広告配信サーバ２０の制御部２１は、ステップＳ２０１で取得した走行状況に基づいて、発話上の特徴の形式を制御する（ステップＳ２０２）。発話上の特徴の形式とは、例えば、話す速さ、声のトーン、発話表現や語彙等である。例えば、制御部２１は、同乗者に子供の数が多い場合には、子供でもわかるような表現で発話するように制御する。
【００６９】
次に、広告配信サーバ２０の制御部２１は、ステップＳ２０１で取得した走行状況に基づいて、発話の種別を制御する（ステップＳ２０３）。発話の種別とは、例えば、アンケート、音声広告、その他のコンテンツ（ニュースなど）のことである。例えば、高速道路を走行中には、周囲に飲食店等の店舗がなく、音声広告を提供する効果がさほど見込めないため、ユーザが興味を持ちそうなニュースを読み上げるようにしてもよい。また、ユーザがニュースを望まない場合には、アンケートを実施するようにしてもよい。一方で、一般道を走行中には、音声広告を提供するようにしてもよい。
【００７０】
次に、広告配信サーバ２０の制御部２１は、ステップＳ２０１で取得した走行状況に基づいて、発話の量及び発話の頻度を制御する（ステップＳ２０４）。例えば、渋滞時は暇であり、夜は眠くなりがちであることから、ユーザにとって会話したいという需要が生まれる。従って、例えば、制御部２１は、渋滞時や夜間に、発話の量や頻度を相対的に増大させる制御を行う。
上記のステップＳ２０２〜ステップＳ２０４の処理は、順不同である。
【００７１】
なお、走行状況に基づいて発話上の特徴を制御することに加え、質問を発話し、その質問に対するユーザの応答に基づいて発話内容を制御するようにしてもよい。
例えば、「眠いですか？」との質問に対し「眠くない」旨の応答が取得された場合、ユーザに思考力を期待できるので、アンケートを依頼するようにするとよい。一方、「眠い」旨の応答が取得された場合、眠気覚ましに効果的なミント菓子の広告やニュースを提供するようにするとよい。また、「タバコ吸いますか？」との質問に対し「吸う」旨の応答が取得された場合、タバコへの関心が認められるので、タバコの広告を提供するようにするとよい。
【００７２】
また、走行状況に基づいて発話上の特徴を制御することに加え、質問を発話し、その質問に対するユーザの応答に基づいて発話の種別を制御するようにしてもよい。
例えば、「眠いですか？」との質問に対し「眠くない」旨の応答が取得された場合、ユーザに思考力を期待できるので、アンケートを依頼する。そして、アンケートを終えたら、ニュース等のコンテンツを提供する。一方、「眠い」旨の応答が取得された場合、眠気覚ましに効果的なミント菓子の広告を提供する。また、「タバコ吸いますか？」との質問に対し「吸う」旨の応答が取得された場合、タバコへの関心が認められるので、タバコの広告を提供する。
【００７３】
なお、走行状況に基づいて発話上の特徴を制御するに際し、車両Ｃが停車中であれば、発話しながら端末装置３０の表示部３３上に当該発話に係る画像を表示させるようにしてもよい。ここで、発話に係る画像とは、例えば、関連ウィキページや商品の具体的な内容を説明する商品ページ等、発話内容と関連するページや画像などである。
【００７４】
次に、端末装置３０の音声出力部３４（出力手段）により音声出力させた広告を、所定条件を満たす場合に、再出力させる処理について、図５のフローチャート、図６の対話例、並びに図７及び図８の画面例を参照して説明する。ここで、再出力とは、再度の音声出力に限定されず、音声出力された内容の画像出力等も含まれる。また、音声出力された内容と全く同一の内容を出力する場合に限定されず、類似する或いは関連する内容を出力する場合を含んでいる。即ち、再出力させる処理とは、再び音声出力及び画像出力のうち少なくとも一方を実行させる処理のことである。なお、この処理では、先に音声出力された広告として、対象商品の値段を割引可能なクーポンを例示して説明する。
【００７５】
まず、広告配信サーバ２０の制御部２１は、図５に示すように、ナビサーバ１０から送られてくるプローブ情報やユーザの走行ルートに係る設定情報（目的地や経由地の情報）を参照して、所定条件を満たすか否かを判定する（ステップＳ３０１）。
制御部２１は、所定条件を満たすと判定した場合（ステップＳ３０１：ＹＥＳ）、広告（クーポン）の再出力を制御する（ステップＳ３０２）。
一方、制御部２１は、所定条件を満たしていないと判定した場合（ステップＳ３０１：ＮＯ）、所定条件を満たすと判定するまで処理を繰り返す。
【００７６】
ここで、所定条件の一つの例は、広告に係る地点と所定の位置関係にあることである。即ち、制御部２１は、広告に係る地点と所定の位置関係にある場合に、所定条件を満たすと判定し、広告の再出力を制御する。
【００７７】
所定の位置関係の一つの例は、広告に係る地点から所定の距離内であることである。例えば、制御部２１は、現在地が広告に係る地点から５００ｍ以内である場合に、所定の位置関係にあると判定する。
また、所定の位置関係の他の例は、これから向かう経路上であることである。即ち、制御部２１は、広告に係る地点がこれから向かう経路上に存在する場合に、所定の位置関係にあると判定する。
また、所定の位置関係の他の例は、これから向かう経路から所定の距離内であることである。例えば、制御部２１は、広告に係る地点が、これから向かう経路から１００ｍ以内である場合に、所定の位置関係にあると判定する。
また、所定の位置関係の他の例は、現在地から目的地までを結ぶ紡錘形の範囲内であることである。例えば、制御部２１は、広告に係る地点が、現在地から目的地までを結ぶ紡錘形（例えば、最大幅が３００ｍ以内）の範囲内である場合に、所定の位置関係にあると判定する。
【００７８】
図６（Ａ）に、広告に係る地点から所定の距離内（５００ｍ以内）である場合の対話例を示す。図６（Ａ）は、先に牛丼のお店である「△△屋○○店」のクーポンが音声出力された場合の対話例である。
端末装置３０の制御部３１は、「△△屋○○店」のクーポンを音声出力する際、例えば、「△△屋○○店３０％引きクーポンが発行されました（Ｔ３１）」と音声出力する。
その後、制御部３１は、現在地が広告に係る地点（「△△屋○○店」）から５００ｍ以内であると判定した場合に、例えば、「△△屋○○店に接近しました（Ｔ３２）」「寄りますか？（Ｔ３３）」と音声出力することで、「△△屋○○店」のクーポンを再出力させる。
そして、制御部３１は、音声入力部３５を介して、例えば、「はい（Ｔ３４）」という肯定的なユーザの応答を取得した場合に、「△△屋○○店」を経由地として設定する。
【００７９】
また、図６（Ａ）に示す例において、現在地が広告に係る地点（「△△屋○○店」）から５００ｍ以内であると判定した場合に、「△△屋○○店に接近しました（Ｔ３２）」と音声出力してユーザの興味を惹き付けた後、「寄りますか？（Ｔ３３）」と音声出力する代わりに、図７に示すように、表示部３３（出力手段）に「ココを通る」ボタンＢ１を一つ大きく表示するようにしてもよい。
この場合、制御部３１は、ユーザにより「ココを通る」ボタンＢ１が押下された場合に、「△△屋○○店」を経由地として設定する。
【００８０】
また、所定条件の他の例は、広告に係る地点から所定範囲内（例えば、５００ｍ以内）において、ユーザが発話した広告に係る所定のキーワード（語）を取得したことである。ここで、広告に係る所定のキーワードとは、例えば、店名、商品名等である。
【００８１】
図６（Ｂ）は、図６（Ａ）と同様、先に牛丼のお店である「△△屋○○店」のクーポンが音声出力された場合の対話例である。
端末装置３０の制御部３１は、「△△屋○○店」のクーポンを音声出力する際、例えば、「△△屋○○店３０％引きクーポンが発行されました（Ｔ４１）」と音声出力する。
その後、制御部３１は、現在地が広告に係る地点（「△△屋○○店」）から５００ｍ以内である場合において、ユーザが発話した広告に係る所定の語（例えば、△△屋）を含む発話（例えば、「最近△△屋行ってないなぁ（Ｔ４２）」）を取得した場合に、「先程発行されたクーポンが使える△△屋○○店が０．４ｋｍ先です（Ｔ４３）」「経由地に設定しますか？（Ｔ４４）」と音声出力することで、「△△屋○○店」のクーポンを再出力させる。
そして、制御部３１は、音声入力部３５を介して、例えば、「はい（Ｔ４５）」という肯定的なユーザの応答を取得した場合に、「△△屋○○店」を経由地として設定する。
また、例えば、停車時に、上記のクーポンを自動的に端末装置３０の表示部３３に表示させるようにしてもよい。また、停車時に、カーナビの案内機能を中断して、メニュー操作できるようにし、メニュー画面からクーポンを表示させる機能を手動で選択可能にしてもよい。
【００８２】
また、所定条件の他の例は、停車時である。即ち、制御部２１は、車両Ｃの停車時に、所定条件を満たすと判定し、広告の再出力を制御する。
例えば、制御部２１は、車両Ｃの停車時に、当該車両Ｃの走行中に発行されたクーポンを、端末装置３０の表示部３３に一覧表示させる。このとき、例えば、表示部３３に一覧表示されたクーポンの一つをユーザがタッチした場合、このクーポンの具体的な利用条件（利用期限等）を説明する画面を表示させたり、店員に見せるためのバーコードを含む画面を表示させたりするようにしてもよい。
【００８３】
また、所定条件の他の例は、車両Ｃ内に端末装置３０と関連付けられた別の端末装置３０が存在することである。ここで、関連付けられている端末装置３０同士は、互いに遠隔でお店の検索や経由地への追加設定等の操作を行うことができる。端末装置３０同士の関連付けは、例えば、ナビゲーションのサービスに各端末装置３０が各々のユーザＩＤでログイン中の場合に一の端末装置３０から他の端末装置３０のユーザＩＤを指定することや、サーバ装置（例えば、ナビサーバ１０や広告配信サーバ２０、その他のサーバ装置など）経由ないし近距離無線通信を介し端末装置３０間で申し合わせた所定操作を行うことなどによって行う。制御部２１は、ドライバの端末装置３０に、同乗する家族等が保持する別の端末装置３０が関連付けられている場合に、所定条件を満たすと判定し、広告の再出力を制御する。
例えば、制御部２１は、車両Ｃ内に端末装置３０と関連付けられた別の端末装置３０が存在する場合に、当該車両Ｃの走行中に発行されたクーポンを、別の端末装置３０の表示部３３に一覧表示させる。
従って、車両Ｃが走行中であっても、ドライバの端末装置３０に発行されたクーポンを、同乗者の端末装置３０の表示画面に一覧表示させることができる。
なお、同乗者が保持する別の端末装置３０からの遠隔操作時には、ナビサーバ１０や広告配信サーバ２０を介して通信するようにしてもよいし、端末装置３０間で直接通信するようにしてもよい。
【００８４】
なお、広告配信サーバ２０の制御部２１が、音声出力された広告に対するユーザの応答に基づいて、広告の優劣（例えば、肯定、否定の程度）を評価するようにし、評価された優劣に基づいて、広告を優劣順に表示部３３に表示させるようにしてもよい。即ち、制御部２１は、本発明の優劣評価手段として機能する。例えば、優劣順が「△△屋○○店３０％引きクーポンＣ１」、「○△ドーナツ全品１００円クーポンＣ２」、「アイスクリーム割引クーポンＣ３」であった場合、図８に示すように、上から「△△屋○○店３０％引きクーポンＣ１」、「○△ドーナツ全品１００円クーポンＣ２」、「アイスクリーム割引クーポンＣ３」の順に表示させる。広告毎の優劣は、ユーザの興味の程度により判断される。ユーザの興味の程度は、ユーザの発話により判断される。例えば、ユーザの発話が「うん、いいね」「面白そう」等の肯定的な表現であった場合には、優先順位を高くして表示順を前の方に設定する。一方、ユーザの発話が「興味ないね」「いらないよ」等の否定的な表現であった場合には、優先順位を低くして表示順を後ろの方に設定する。
【００８５】
また、出力（再出力を含む）した広告に対するユーザの応答（発話のみではなく操作を含む）を、その広告若しくは広告の属性又はユーザ若しくはユーザの属性の少なくとも一方に反映させるようにしてもよい。ここで、反映とは、広告、広告の属性、ユーザ及びユーザの属性の各々とユーザの応答から導出される評価とを対応付けし、今後の適切な広告配信の指針とすることである。
例えば、３０代の男性ユーザＡが牛丼のお店である「△△屋○○店」のクーポンに対して肯定的な反応を示したような場合、広告である「△△屋○○店のクーポン」に肯定評価を反映させてもよいし、広告の属性である「牛丼のクーポン」や「外食（飲食店）のクーポン」に肯定評価を反映させてもよい。また、ユーザである「男性ユーザＡ」が△△屋○○店のクーポンに肯定評価したことを反映させてもよいし、ユーザの属性である「３０代男性」が△△屋○○店のクーポンに肯定評価したことを反映させてもよい。
また、牛丼のクーポンが多くのユーザに反応され、フルーツのクーポンがほとんどのユーザに反応されなかったような場合、「牛丼のクーポン」に肯定評価を反映させるようにし、「フルーツのクーポン」に否定評価を反映させるようにしてもよい。
また、ユーザの行動性向をユーザに反映させるようにしてもよい。例えば、ユーザＡが、飲食店クーポンに多く反応した場合には、飲食店クーポンを好むユーザとして評価するようにし、全体的にクーポンに反応する場合には、クーポンに反応しやすいユーザとして評価するようにしてもよい。
また、ユーザの属性のうち性別毎の行動性向を当該性別毎に反映させるようにしてもよい。例えば、牛丼のクーポンが男性に多くタッチされるような場合、男性は牛丼のクーポンを肯定評価し易く、女性は牛丼のクーポンを肯定評価しにくい旨を反映させるようにしてもよい。また、男性は全体的にクーポンに応答し、女性は全体的にクーポンに応答しない場合には、男性はクーポンに反応し易く、女性はクーポンに反応しにくい旨を反映させるようにしてもよい。
【００８６】
また、出力（再出力を含む）した広告に対するユーザの応答（発話のみではなく操作を含む）を、走行状況に反映させるようにしてもよい。
例えば、雨が降っているときに、クーポンＡが多くのユーザに反応されたような場合、雨の日にはクーポンＡがユーザに反応され易い旨を反映させるようにしてもよい。
また、車両Ｃの走行速度が相対的に速いときに、クーポンＢが多くのユーザに反応されたような場合、走行速度が速いときにはクーポンＢがユーザに反応され易い旨を反映させるようにしてもよい。
また、眠いと判定されたユーザに、クーポンＣが多く反応されたような場合、眠いときにはクーポンＣがユーザに反応され易い旨を反映させるようにしてもよい。
【００８７】
また、出力（再出力を含む）した広告に対するユーザの応答（発話のみではなく操作を含む）を、当該ユーザの応答の発話上の特徴に反映させるようにしてもよい。
例えば、安売りで有名な店舗の割引クーポンを、まくし立てるように速く話したときにユーザの反応がよく、ゆっくり落ち着いて話したときにユーザの反応が悪かったような場合、この割引クーポンは、速く話したときにはユーザに反応され易く、ゆっくり話したときにはユーザに反応されにくい旨を反映させるようにしてもよい。
【００８８】
［３．効果］
以上のように、本実施形態に係る情報処理装置（ナビサーバ１０及び広告配信サーバ２０）は、ナビゲーション処理中に、ユーザとの対話に基づいて、音声広告又は音声広告に係るアンケートを、音声出力手段（音声出力部３４）により音声出力させる出力制御手段（制御部２１）を備える。
従って、本実施形態に係る情報処理装置によれば、ドライバが端末装置３０の表示部３３を視認することなく広告の情報を取得することができるので、運転に影響することなく安全、円滑に広告の効果を確保することができる。
【００８９】
また、本実施形態に係る情報処理装置によれば、出力制御手段は、音声広告に係る地点と所定の位置関係にある場合に、当該音声広告を音声出力手段により音声出力させる。
従って、本実施形態に係る情報処理装置によれば、ユーザが関心を持ちやすい位置関係にある場合に音声広告を出力させるので、広告効果をより向上させることができる。
【００９０】
また、本実施形態に係る情報処理装置によれば、出力制御手段は、音声広告を音声出力させるための条件をユーザに確認するための質問を音声出力手段により音声出力させ、音声入力手段（音声入力部３５）を介して取得された質問に対するユーザの応答に基づいて、音声広告の音声出力を制御する。
従って、本実施形態に係る情報処理装置によれば、ユーザとの対話によりユーザの情報を取得することができるので、効果的で無駄のない広告出力を実現することができる。
【００９１】
また、本実施形態に係る情報処理装置によれば、条件は、ユーザが乗車中の車両Ｃの走行状況に関する条件を含む。
従って、本実施形態に係る情報処理装置によれば、走行状況に応じて適切な広告を選択することができるので、より効果的な広告出力を実現することができる。
【００９２】
また、本実施形態に係る情報処理装置は、音声入力手段を介して取得された音声広告に対するユーザの応答に基づいて、音声広告の効果を測定する効果測定手段（制御部２１）を備える。
従って、本実施形態に係る情報処理装置によれば、出力した音声広告の効果を取得することができるので、広告主への情報提供や広告料の課金などに活用することができる。
【００９３】
また、本実施形態に係る情報処理装置によれば、効果測定手段は、音声広告に対するユーザの応答の発話上の特徴に基づいて、当該音声広告に対するユーザの評価を取得して、当該音声広告の効果を測定する。
従って、本実施形態に係る情報処理装置によれば、出力した音声広告の効果を精度よく取得することができるので、広告主に対してより正確な情報提供を行うことができる。
【００９４】
また、本実施形態に係る情報処理装置は、ナビゲーション処理中に、ユーザが乗車中の車両Ｃの走行状況に基づいて、音声出力手段（音声出力部３４）により出力される音声における発話上の特徴を制御する発話制御手段（制御部２１）を備える。
従って、本実施形態に係る情報処理装置によれば、車両Ｃの走行状況によって適切な発話上の特徴で音声が出力されるので、ユーザにとって快適な車内環境を作り出すことができる。
【００９５】
また、本実施形態に係る情報処理装置によれば、走行状況は、車外の環境を含む。
従って、本実施形態に係る情報処理装置によれば、車外の環境に即した発話上の特徴で音声が出力されるので、ユーザにとってより快適な車内環境を作り出すことができる。
【００９６】
また、本実施形態に係る情報処理装置によれば、走行状況は、車両Ｃの状況を含む。
従って、本実施形態に係る情報処理装置によれば、車外の環境に即した発話上の特徴で音声が出力されるので、ユーザにとってより快適な車内環境を作り出すことができる。
【００９７】
また、本実施形態に係る情報処理装置によれば、走行状況は、目的地又は経由地を含む。
従って、本実施形態に係る情報処理装置によれば、目的地又は経由地に即した発話上の特徴で音声が出力されるので、ユーザにとってより快適な車内環境を作り出すことができる。
【００９８】
また、本実施形態に係る情報処理装置によれば、走行状況は、ユーザの体調を含む。
従って、本実施形態に係る情報処理装置によれば、ユーザの体調に即した発話上の特徴で音声が出力されるので、ユーザにとってより快適な車内環境を作り出すことができる。
【００９９】
また、本実施形態に係る情報処理装置によれば、発話制御手段は、音声入力手段を介して取得されたユーザの応答の発話上の特徴に基づいて、ユーザの体調を判断する。
従って、本実施形態に係る情報処理装置によれば、ユーザの体調を自動的に取得することができるので、ユーザに負担を与えることなくユーザの体調を判断して適切な音声出力を行うことができる。
【０１００】
また、本実施形態に係る情報処理装置によれば、走行状況は、同乗者の状況を含む。
従って、本実施形態に係る情報処理装置によれば、同乗者の状況に即した発話上の特徴で音声が出力されるので、ユーザにとってより快適な車内環境を作り出すことができる。
【０１０１】
また、本実施形態に係る情報処理装置によれば、発話制御手段は、音声入力手段を介して取得された音声の特徴に基づいて、同乗者の状況を判断する。
従って、本実施形態に係る情報処理装置によれば、同乗者の状況を自動的に取得することができるので、ユーザに負担を与えることなく同乗者の状況を判断して適切な音声出力を行うことができる。
【０１０２】
また、本実施形態に係る情報処理装置によれば、音声出力手段により出力される音声を、標準の音声とは別の音声に変更可能な音声変更手段（制御部２１）を備える。また、発話制御手段は、音声変更手段により別の音声に変更されている場合であって、同乗者が検出された場合には、標準の音声に変更する。
従って、本実施形態に係る情報処理装置によれば、ユーザの好みの音声出力が行われている状況であっても、同乗者を検出した場合に自動的に標準の音声に変更することができるので、ユーザのプライバシーを確保することができる。
【０１０３】
また、本実施形態に係る情報処理装置によれば、発話制御手段は、走行状況に基づいて、発話上の特徴の形式を制御する。
従って、本実施形態に係る情報処理装置によれば、車両Ｃの走行状況によって適切な発話上の特徴の形式で音声が出力されるので、状況に適合したより快適な車内環境を作り出すことができる。
【０１０４】
また、本実施形態に係る情報処理装置によれば、発話制御手段は、音声出力手段により質問を発話させ、音声入力手段を介して取得された質問に対するユーザの応答に基づいて、発話内容を制御する。
従って、本実施形態に係る情報処理装置によれば、ユーザとの対話によりユーザの情報を取得することができるので、ユーザにとってより適切な発話内容で発話してより快適な車内環境を作り出すことができる。
【０１０５】
また、本実施形態に係る情報処理装置によれば、発話制御手段は、走行状況に基づいて、発話の種別を制御する。
従って、本実施形態に係る情報処理装置によれば、車両Ｃの走行状況によって適切な発話の種別で音声が出力されるので、状況に適合したより快適な車内環境を作り出すことができる。
【０１０６】
また、本実施形態に係る情報処理装置によれば、発話の種別は、少なくともアンケート、音声広告及びその他のコンテンツを含む。
従って、本実施形態に係る情報処理装置によれば、車両Ｃの走行状況によって複数のコンテンツの中から適切な発話の種別を選択することができるので、ユーザにとってより快適な車内環境を作り出すことができる。
【０１０７】
また、本実施形態に係る情報処理装置によれば、発話制御手段は、音声出力手段により質問を発話させ、音声入力手段を介して取得された質問に対するユーザの応答に基づいて、発話の種別を制御する。
従って、本実施形態に係る情報処理装置によれば、ユーザとの対話によりユーザの情報を取得することができるので、ユーザにとってより適切な発話の種別で発話してより快適な車内環境を作り出すことができる。
【０１０８】
また、本実施形態に係る情報処理装置によれば、発話制御手段は、走行状況に基づいて、発話の量及び発話の頻度の少なくとも一方を制御する。
従って、本実施形態に係る情報処理装置によれば、車両Ｃの走行状況によって適切な発話の量及び発話の頻度で音声が出力されるので、状況に適合したより快適な車内環境を作り出すことができる。
【０１０９】
また、本実施形態に係る情報処理装置によれば、発話制御手段は、車両Ｃが停車中の場合、表示手段（表示部３３）に発話に係る画像を表示させる。
従って、本実施形態に係る情報処理装置によれば、車両Ｃが停車中の場合、音声に加えて画像を出力させることができるので、ユーザが発話の内容を容易に理解することができる。
【０１１０】
また、本実施形態に係る情報処理装置は、ナビゲーション処理中に、出力手段（音声出力部３４）により音声出力させた広告を、所定条件を満たす場合に、再び音声出力及び画像出力のうち少なくとも一方を実行させる出力制御手段（制御部２１）を備える。
従って、本実施形態に係る情報処理装置によれば、音声出力された広告を必要に応じて再度出力させることができるので、音声出力された複数の広告を認識させるために印象付けることができる。
【０１１１】
また、本実施形態に係る情報処理装置によれば、所定条件を満たす場合は、広告に係る地点と所定の位置関係のときを含む。
従って、本実施形態に係る情報処理装置によれば、ユーザが関心を持ちやすい位置関係にある場合に広告を再度出力させるので、複数の広告をより適切に認識させることができる。
【０１１２】
また、本実施形態に係る情報処理装置によれば、所定条件を満たす場合は、広告に係る地点から所定範囲内において、ユーザが発話した広告に係る所定のキーワードを、音声入力手段を介して取得したときを含む。
従って、本実施形態に係る情報処理装置によれば、ユーザが広告への関心を表出した場合に広告を再度出力させるので、複数の広告をより適切に認識させることができる。
【０１１３】
また、本実施形態に係る情報処理装置によれば、所定条件を満たす場合は、停車時を含み、出力制御手段は、停車時に、広告を出力手段（表示部３３）に一覧表示させる。
従って、本実施形態に係る情報処理装置によれば、ユーザが広告を視認可能な状態のときに広告を再度出力させるので、複数の広告をより安全に比較させることができる。
【０１１４】
また、本実施形態に係る情報処理装置によれば、所定条件を満たす場合は、ユーザが乗車中の車両Ｃ内に、広告を音声出力させた出力手段を備える端末装置３０と関連付けられた別の端末装置３０が存在するときを含み、出力制御手段は、別の端末装置３０が存在する場合に、広告を別の端末装置３０の出力手段に一覧表示させる。
従って、本実施形態に係る情報処理装置によれば、別のユーザが広告を視認可能な状態のときに広告を再度出力させるので、複数の広告をより安全に比較させることができる。
【０１１５】
また、本実施形態に係る情報処理装置によれば、音声入力手段を介して取得された広告に対するユーザの応答に基づいて、広告の優劣を評価する優劣評価手段（制御部２１）を備える。また、出力制御手段は、優劣評価手段により評価された優劣に基づいて、広告を優劣順に出力手段に表示させる。
従って、本実施形態に係る情報処理装置によれば、出力した広告の効果を取得して表示時に反映することができるので、複数の広告をより適切に比較させることができる。
【０１１６】
また、本実施形態に係る情報処理装置によれば、出力制御手段は、音声入力手段を介して取得された広告に対するユーザの応答を、当該広告若しくは当該広告の属性又は当該ユーザ若しくは当該ユーザの属性の少なくとも一方に反映させ、当該反映結果に基づいて広告を出力手段により音声出力させる。
従って、本実施形態に係る情報処理装置によれば、出力した広告に対する応答を広告又はユーザに反映させることができるので、その後の広告出力をより効果的に行うことができる。
【０１１７】
また、本実施形態に係る情報処理装置によれば、出力制御手段は、音声入力手段を介して取得された広告に対するユーザの応答を、当該ユーザが乗車中の車両Ｃの走行状況に反映させ、当該反映結果に基づいて広告を出力手段により音声出力させる。
従って、本実施形態に係る情報処理装置によれば、出力した広告に対する応答を車両Ｃの走行状況に反映させることができるので、その後の広告出力をより効果的に行うことができる。
【０１１８】
また、本実施形態に係る情報処理装置によれば、出力制御手段は、音声入力手段を介して取得された広告に対するユーザの応答を、当該ユーザの応答の発話上の特徴に反映させ、当該反映結果に基づいて広告を出力手段により音声出力させる。
従って、本実施形態に係る情報処理装置によれば、出力した広告に対する応答を当該応答の発話上の特徴に反映させることができるので、その後の広告出力をより効果的に行うことができる。
【０１１９】
以上、本発明に係る実施形態に基づいて具体的に説明したが、本発明は上記実施形態に限定されるものではなく、その要旨を逸脱しない範囲で変更可能である。
【０１２０】
［４．変形例］
例えば、上記実施形態では、広告配信サーバ２０が、音声広告に係るコンテンツを、端末装置３０を介してユーザとの対話形式で配信するようにしているが、これに限定されるものではない。例えば、広告配信サーバ２０の制御部２１が、ユーザの応答を前提とする発話を行うための発話情報と、端末装置３０の音声入力部３５を介して取得されたユーザの応答に基づく処理を実行させるための処理情報と、を対応付けた対話用情報を、端末装置３０に配信して、端末装置３０とユーザのみで対話させるようにしてもよい。
この場合、端末装置３０の制御部３１が、ユーザの応答を音声認識する処理を行う。なお、広告配信サーバ２０が配信する対話用情報には、音声認識に利用するための照合用パターンデータが含まれる。制御部３１は、この照合用パターンデータを利用して、ユーザの応答を音声認識する処理を行う。
【０１２１】
具体的には、端末装置３０の制御部３１は、広告配信サーバ２０から配信された対話用情報を取得する。次いで、制御部３１は、取得した対話用情報に含まれる発話情報に基づいて、音声出力部３４を介して発話する。次いで、制御部３１は、音声入力部３５を介して上記の質問に対するユーザの応答を取得し、当該ユーザの応答を、照合用パターンデータを参照して音声認識する。次いで、制御部３１は、音声認識の結果と、対話用情報に含まれる処理情報と、に基づいて、ユーザの応答に基づく処理を実行する。
以上のように、出力制御手段（制御部２１）が、ユーザの応答を前提とする発話を行うための発話情報と、音声入力手段を介して取得されたユーザの応答に基づく処理を実行させるための処理情報と、を対応付けた対話用情報を、ユーザが乗車中の車両Ｃに搭載された端末装置３０に配信することで、ユーザとの対話時に広告配信サーバ２０との通信を不要とすることができるので、対話途中でトンネル等に入り通信圏外になった場合であっても、サービスを提供することができる。
特に、対話用情報に、ユーザの応答を音声認識するための照合用パターンデータを含ませることで、ユーザとの対話時に広告配信サーバ２０との通信を不要とすることができるので、対話途中でトンネル等に入り通信圏外になった場合であっても、ユーザとの対話を続行してより質の高いサービスを提供することができる。
【０１２２】
対話用情報の一つの例は、発話情報としての「アンケートの発話を行うための情報」と、処理情報としての「特典（例えば、特典ポイントの付与）情報の出力処理を実行させるための情報」と、を対応付けたものである。
即ち、制御部３１は、取得した対話用情報に基づいて、音声出力部３４を介してアンケートを発話する。次いで、制御部３１は、音声入力部３５を介して上記のアンケートに対するユーザの回答を取得し、当該ユーザの回答を音声認識する。次いで、制御部３１は、音声認識の結果と処理情報とに基づいて、特典情報の出力処理を実行する。
なお、例えば、ユーザの回答の内容を問わず、アンケートに対する回答があったことを特典ポイントの付与の条件とした場合、ユーザの回答を音声認識する必要がなくなるため、対話用情報に照合用パターンデータを含まないようにしてもよい。
以上のように、発話にアンケートを含ませ、ユーザの応答にアンケートへの回答を含ませ、処理に特典情報の出力処理を含ませることで、ナビゲーション機能の利用時以外にもアンケート回答を得ることができるので、アンケート回答の習慣化を期待することができる。
【０１２３】
対話用情報の他の例は、発話情報としての「音声広告の発話を行うための情報」と、処理情報としての「音声広告の効果を示す情報を広告配信サーバ２０に送信させる処理を実行させるための情報」と、を対応付けたものである。
即ち、制御部３１は、取得した対話用情報に基づいて、音声出力部３４を介して音声広告を発話する。次いで、制御部３１は、音声入力部３５を介して上記の音声広告の効果を示す情報を取得し、当該音声広告の効果を示す情報を音声認識する。次いで、制御部３１は、音声認識の結果と処理情報とに基づいて、音声広告の効果を示す情報を広告配信サーバ２０に送信させる処理を実行する。
以上のように、発話に音声広告を含ませ、ユーザの応答に音声広告の効果を示す情報を含ませ、処理に音声広告の効果を示す情報を情報処理装置（広告配信サーバ２０）に送信させる処理を含ませることで、出力した音声広告の効果を取得することができるので、広告主への情報提供や広告料の課金などに活用することができる。
【０１２４】
対話用情報の他の例は、発話情報としての「音声広告の発話を行うための情報」と、処理情報としての「音声広告に基づく行動を示す情報を広告配信サーバ２０に送信させる処理を実行させるための情報」と、を対応付けたものである。
即ち、制御部３１は、取得した対話用情報に基づいて、音声出力部３４を介して音声広告を発話する。次いで、制御部３１は、上記の音声広告に基づく行動を示す情報を取得し、当該音声広告に基づく行動を示す情報を解析する。次いで、制御部３１は、解析の結果と処理情報とに基づいて、音声広告に基づく行動を示す情報を広告配信サーバ２０に送信させる処理を実行する。
以上のように、ユーザの応答に、音声広告に基づく行動を示す情報を含ませ、処理に行動を示す情報を情報処理装置に送信させる処理を含ませることで、出力した音声広告の効果を取得することができるので、広告主への情報提供や広告料の課金などに活用することができる。
【０１２５】
対話用情報の他の例は、発話情報としての「質問の発話を行うための情報」と、処理情報としての「質問への回答又は無回答に基づいて、一の音声広告若しくは二以上の音声広告のいずれか一を出力する又は音声広告を出力しないことを決定する処理を実行させるための情報」と、を対応付けたものである。
即ち、制御部３１は、取得した対話用情報に基づいて、音声出力部３４を介して質問を発話する。次いで、制御部３１は、上記の質問への回答又は無回答を取得し、音声認識する。次いで、制御部３１は、音声認識の結果と処理情報とに基づいて、一の音声広告若しくは二以上の音声広告のいずれか一を出力する又は音声広告を出力しないことを決定する処理を実行する。
以上のように、発話に、音声広告に係る質問を含ませ、ユーザの応答に質問への回答又は無回答を含ませ、処理に、質問への回答又は無回答に基づいて、一の音声広告若しくは二以上の音声広告のいずれか一を出力する又は音声広告を出力しないことを決定する処理を含ませることで、ユーザの応答に基づいて広告出力を制御することができるので、効果的で無駄のない広告出力を実現することができる。
【０１２６】
また、上記実施形態では、ナビサーバ１０及び広告配信サーバ２０を別体の装置として例示して説明しているが、これに限定されるものではない。即ち、ナビサーバ１０及び広告配信サーバ２０を一体の装置として構成するようにしてもよい。
また、ナビサーバ１０及び広告配信サーバ２０の機能を、端末装置３０に備えるようにすれば、端末装置３０のみで本発明を実現することも可能である。
【０１２７】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【０１２８】
その他、ナビサーバ、広告配信サーバ及び端末装置を構成する各装置の細部構成及び各装置の細部動作に関しても、本発明の趣旨を逸脱することのない範囲で適宜変更可能である。
【符号の説明】
【０１２９】
１  情報処理システム
１０  ナビサーバ（情報処理装置）
１１  制御部
１２  操作部
１３  表示部
１４  記憶部
１５  通信部
２０  広告配信サーバ（情報処理装置）
２１  制御部（出力制御手段、効果測定手段、発話制御手段、音声変更手段、優劣評価手段）
２２  操作部
２３  表示部
２４  記憶部
２５  通信部
３０  端末装置
３１  制御部
３２  操作部
３３  表示部（表示手段、出力手段）
３４  音声出力部（音声出力手段、出力手段）
３５  音声入力部（音声入力手段）
３６  記憶部
３７  現在位置検出部
３８  通信部
Ｃ  車両
【図１】
0006321597.tif 000002
【図２】
0006321597.tif 000003
【図３】
0006321597.tif 000004
【図４】
0006321597.tif 000005
【図５】
0006321597.tif 000006
【図６】
0006321597.tif 000007
【図７】
0006321597.tif 000008
【図８】
0006321597.tif 000009